(57)【要約】      （修正有）【課題】落下扉が誤って落下しても下部に隙間が残り、しかも、動物捕獲後は動物の鼻上げ動作等で落下扉が隙間なく完全に閉まり、以後の鼻上げ動作が効果的にできなくなる足指詰め防止装置を提供する。【解決手段】裏板と表板および回転板２は、共に貫通する孔が開いておりピン１０が通されて、このピンを中心に回転板が回転できる。回転板の孔は長孔で回転板は長孔の範囲で上下できる。回転板の左側面が本体ケース３の側板に近接しており、回転板は時計方向には回転できず、反時計方向へは回転板の上部角が本体ケースの側板の内面にあたるまで回転できる。落下扉が落下した時、回転板の右上端にあたると回転板を押し下げて固定から解放するが長孔の範囲で落下を食い止める。動物の鼻上げ動作により、落下扉の荷重が無くなると同時に回転板が反時計方向に回転し落下扉の下端から外れるので落下扉がさらに落下して扉が完全に閉じる。【選択図】図１
0003173099.tif 000002
【実用新案登録請求の範囲】
【請求項１】
落下扉を有する動物の捕獲籠または捕獲器、または、落下扉を有する動物を入れる容器または檻における落下扉において、金属板から成る直方体の本体ケースと直角部分の角が切り落とされた直角三角形に近い形状の回転板からなり、該本体ケースは、裏板、表板、上板および左側板からなり右側面と下部側面は開放され、該回転板は２つの短辺がそれぞれ該本体ケースの該上板および該左側板と平行になるように該本体ケースの該表板と該裏板との間に挿入されて、該裏板と該表板および該回転板には共に貫通する孔が開いておりピンが通され該ピンを中心に該回転板が回転できる、また、該回転板の該孔は長孔で該回転板は該長孔の範囲で上下でき、該回転板は左側面が該本体ケースの該左側板の内面に近接しており時計方向には回転できないが、反時計方向へは該回転板上面の左角が該左側板の内面にあたるまで回転できる、さらに、該回転板を引き上げた位置すなわち該ピンが該長孔の下方にある位置で、該回転板の上部表面に押しつけて一時的に固定するボルトが該本体ケースの該表板に取り付けられている構造の落下扉の開放式足指詰め防止装置。
【請求項２】
請求項１において、上記本体ケースが、裏板、表板および左側板からなり、右側面、上部側面、下部側面が開放されている構造の落下扉の開放式足指詰め防止装置。
【考案の詳細な説明】
【技術分野】
【０００１】  本考案は、動物捕獲籠等の落下扉における足指詰めを防止する装置に関するものである。落下扉を引き上げた状態、すなわち扉を開けた状態で一時的に留め、動物が捕獲籠内部に入って留め金が外れて落下扉が落下して扉を綴じるが、扉を引き上げた状態にセットする時に、セット操作を誤って扉が落下して、扉の下端と捕獲籠の下枠の間に足指を挟んで怪我をするのを防止する装置である。
【背景技術】
【０００２】  動物捕獲籠の多くは、上下に移動可能な落下扉を使用したものが多い。籠は通常、直方体で、前面および／または背面は、落下扉になっており、扉を引き上げた状態で一時的に固定して、動物が入ったのを感知してピンが外れて扉が落下して閉じるようになっている。【０００３】  動物捕獲籠は、山中で扉をセットすることが多く、足元が悪く、セット中に誤って扉を落下させ、たまたま扉の真下に足を置いておくと大怪我をする可能性がある。また、現場で組み立てする捕獲籠の場合、現場での作業が増え、セット中に誤って落下扉を落とし怪我をする可能性が高まる。【０００４】  動物捕獲籠は、現地で組み立て中、および、落下扉をセット途中に、落下扉が誤って落下しないように落下防止装置が付いているが、落下防止装置のセット忘れ、または、落下防止装置を解除した後に、何らかの原因で動物感知ピンが外れて落下扉が落下することがある。【０００５】  落下扉は重量が重く、勢いよく落下すると衝撃が大きく、真下に足などがあると足または足指に大怪我をすることがある。指詰めは良く起きる事故で、指詰め防止装置は、回転式ドア用、引き戸用、および、落下扉やシャッター用が発明されている。
【先行技術文献】
【特許文献】
【０００６】
【特許文献１】特開２００１−３７４００「捕獲檻」
【特許文献２】特開平８−５６５４９「動物捕獲用檻」
【特許文献３】特許３５８６４４５「捕獲檻」
【特許文献４】実用登録３１６３３６５「動物捕獲檻」
【特許文献５】特開２０１１−１４４５４５「開き戸用足指詰め防止材及びこれを使用した開き戸」
【特許文献６】特開２０１１−１０６０９８「ドア構造」（回転支持型ドア用）
【特許文献７】特開平８−４４０８「引戸用指詰め防止装置」
【特許文献８】特開２００８−３０３６３３「上げ下げ窓用の指詰め防止具」
【特許文献９】特開２００４−１６２４２５「シャッター」
【考案の概要】
【考案が解決しようとする課題】
【０００７】  落下扉が誤って落下しても、落下扉の下端と捕獲籠の下枠の間に、足指が入る十分な隙間を確保できるようにする。ただし、落下扉の下に隙間が残っていると、動物の鼻上げ動作で落下扉が持ち上げられ、扉が開き動物が逃げる可能性がある。通常、落下扉は動物の鼻上げ動作でも一定以上上昇できないように持ち上げストッパーからなる脱出防止装置が付いているが、捕えた動物が暴れたり、強力な持ち上げ動作の繰り返しでストッパーが壊れたり、捩れたりすることにより落下扉が持ち上げられる可能性がある。動物捕獲後、落下扉の下方が隙間なく完全に閉まっておれば、鼻上げ動作自体が有効に出来ないので安全性が高まる。
【課題を解決するための手段】
【０００８】  上記の課題に鑑み、本考案者は、落下扉がセット中に誤って落下し、足指詰めを起こすのを防止する装置を考案した。落下扉が落下しても、下部に足指が入る程度の隙間を確保すると共に、動物が中に入って落下扉が閉まった時にも、いったんは本装置で落下扉の下方に隙間を残して停止するが動物の鼻上げ動作によりロックが開放されて扉がさらに落下して扉が完全に閉まる。【０００９】  その構造を図を用いて説明する。図１は、本考案の落下扉の開放式足指詰め防止装置の正面図である。金属板を溶接等で組み立てて作られる装置本体１は、本体ケース３と、直角三角形の直角の角を切り落とした形状の回転板２からなる。本体ケース３は、裏板４、表板５、上板６および左側板７からなり、右側面と下部側面は開放されている。表板５と裏板４との間には回転板２が入るに十分な隙間があり、ここに、回転板２の２つの短辺がそれぞれ本体ケース３の上板６および左側板７と平行になるように挿入されている。裏板４と表板５、および、回転板２にはピン１０を共に貫通する孔が開いておりピン１０が通されている。このピン１０を中心に回転板２が回転できるようになっている。回転板２は、回転板２の左側面が本体ケース３の側板７の内面に近接しており時計方向には回転できない。反時計方向へは、回転板の左上の角Ａが側板７の内面にあたるまで回転できる。また、回転板２の孔は長孔１４になっており、回転板２は、長孔１４の範囲で上下できる。【００１０】  蝶ボルト８は、ナット９が本体ケース３の表板５に固定されており、表板５に開けられた孔を貫通して、回転板２にボルトの先端があたるように取り付けられている。回転板２を引き上げた状態、すなわち、回転板２の長孔１４の下部にピン１０が来る位置で、蝶ボルト８を締め込んで回転板２を一時的に固定する。また、ピン用押え板１１、および、ピン用裏板１３は、ピン１０の抜落ちを防止するものである。ピン用裏板１３は、本体ケース３の裏板４に溶接等で取り付けられている。ピン用押え板１３は、ケース３の表板５に取り付けられた押え板止めボルト１２に吊り下げられていて、押え板止めボルト１２を中心に回転できるようになっている。ピン用押え板１３を横方向へ回転させた時、ピン１０が取り出せる。これは、落下扉の衝撃が繰り返されて傷んだピン１０を容易に交換できようにするためである。【００１１】  次に動作を図で説明する。本考案の装置のケース本体３を動物捕獲籠等の落下扉に向かって左側枠に溶接等で取り付ける。最初にセットした状態は図１の状態である。回転板２を引き上げて蝶ボルト８を締めて、ボルトの先端を回転板２の上方側面に当てて一時的に固定する。落下扉が落下して扉の下端が回転板２の右上に載った時、図５に示すように、落下扉の重みで回転板２が蝶ボルト８の固定から解放されて、回転板２の長孔１４に沿って落下するが、ピン１０が長孔１４の上端に来た時に停止する。この時、落下扉と動物籠の下枠との隙間はちょうど足指を詰めない高さになるように本装置が捕獲籠の側枠に取り付けられている。この高さは動物が通れない高さでもある。【００１２】  捕獲された動物が、鼻上げ動作で、この隙間に鼻を入れて落下扉を持ち上げようとして数センチ持ち上が��た時、回転板２を上方から押さえていた落下扉の荷重が無くなり、図６に示すように、回転板２は、自重で反時計方向へ回転し、回転板２の角Ａが本体ケース３の側板７の内面にあたって停止する。この位置では回転板２の右端は落下扉の左下端から外れた状態になる。したがって、動物が鼻あげ動作を停止し鼻を落下扉から外した途端に、落下扉がさらに落下して扉が完全に閉まる。なお、落下扉には動物の鼻上げ動作で数センチを超える高さの上昇ができないように持ち上げストッパーからなる脱出防止装置が付いている。【００１３】  回転板２の右上端の落下扉の荷重が外れて反時計方向へ回転するときの角“Ａ”は、軌跡１６に沿って回転する。また、角“Ｂ”は軌跡１５に沿って回転する。回転板２が、反時計方向へ回転するときには、角“Ｂ”は側板７の内面と干渉せず、角“Ａ”が側板７の内面にあたって停止することが確認される。【００１４】  落下扉が落下して、本装置の回転板２の右上端にあたった時に、回転板２を時計方向へ回転させる力と下方へ押し下げる力が働くが、回転板２の角“Ｂ”と回転板２の左側面が本体ケース３の側面７の内面にあたり、回転板２の時計方向への回転を食い止める。また、下方への力は、回転板２を、長孔１４に沿って落下させるが長孔の上部でピン１０にあたり停止すると同時に、この位置で落下扉も停止する。【００１５】  回転板２の孔を長孔１４にしたのは、回転板２が落下扉の重みで固定ボルト９から解放され、落下扉の荷重が除かれると同時に回転板２が自重で反時計方向へ回転できるようにするためである。また、長孔１４の位置は回転板２の重心より右側に来るように開ける。【００１６】  請求項１記載の落下扉の開放式足指詰め防止装置は、動物捕獲籠等の落下扉に向かって左側枠に本装置を取り付ける場合の記述であるが、右側枠に取り付ける場合は、本体ケース３は左右が反対になり、回転板２の取り付けも左右反対になり、回転板２の回転方向も反対になるのみで、本考案は、右側枠取り付ける場合もカバーしていることは言うまでもない。
【考案の効果】
【００１７】  本考案は、落下扉式の動物捕獲籠等において、誤って落下扉が落ちて足指を詰めて怪我をすることを防止できる。しかも、動物の鼻上げ動作により扉が完全に閉じ、閉じた後は効果的な鼻上げ動作を防止できる。
【図面の簡単な説明】
【００１８】
【図１】本考案の落下扉の開放式足指詰め防止装置の正面図である。
【図２】本考案の装置の右側面図である。
【図３】本考案の装置の左側面図である。
【図４】本考案の装置の回転板の正面図である。
【図５】回転板が一時的固定から解放された直後の説明図である。
【図６】回転板が自重で反時計方向へ回転して回転板の角“Ａ”がケースの側板内面に当たり停止した状態の説明図である。
【図７】実施例１における本考案の装置本体正面の寸法図である。
【図８】実施例１における本考案の装置本体右側面の寸法図である。
【図９】実施例１における本考案の装置の回転板の寸法図である。
【図１０】実施例１における本考案の装置の動物捕獲籠への取付状態図である。
【図１１】実施例１における本考案の装置の動物捕獲籠への取付状態図１の詳細である。
【図１２】実施例１における本考案の装置の動物捕獲籠への取付状態図２の詳細である。
【考案を実施するための形態】
【００１９】
【実施例１】
【００２０】  本考案の装置を取り付けた動物籠の実施例１を図を用いて説明する。図７〜図９は、本装置の落下扉式動物捕獲籠（寸法  高さ１３０ｃｍ、幅１２０ｃｍ、長さ２００ｃｍ）への取付事例における、本装置の寸法図である。図１０、図１１に示すように、動物捕獲籠の落下扉に向かって左側枠の下方（本体ケース３の下端の位置が下枠２３上端から約５ｃｍの高さの位置）に本装置２０を取り付けて溶接等で固定する。図１０、図１１は、落下扉が落下して本装置で停止した状態を示す。落下扉２１の左下端が本装置２０の回転板の右上端に衝突して停止している。図１２は、動物の鼻上げ動作により、落下扉２１が数センチ持ち上げられた後、鼻を落下扉から外した時に、本装置２０の回転板が半時計方向へ回転し、落下扉の下端から外れた状態になり、落下扉２１がさらに落下して完全に閉じる。
【産業上の利用可能性】
【００２１】  熊、鹿等の動物の落下扉式捕獲籠または落下扉式捕獲器、落下扉式動物容器または檻の安全使用に利用することができる。
【符号の説明】
【００２２】１  落下扉の開放式足指詰め防止装置本体
２  回転板
３  本体ケース
４  ケースの裏板
５  ケースの表板
６  ケースの上板
７  ケースの左側板
８  蝶ボルト
９  蝶ボルト用ナット
１０  ピン
１１  ピン用押え板
１２  押え板止めボルト
１３  ピン用裏板
１４  長孔
１５  回転板角“Ｂ”の回転軌跡
１６  回転板角“Ａ”の回転軌跡
２０  本装置
２１  落下扉
２２  左側枠
２３  下枠
【図１】
0003173099.tif 000003
【図２】
0003173099.tif 000004
【図３】
0003173099.tif 000005
【図４】
0003173099.tif 000006
【図５】
0003173099.tif 000007
【図６】
0003173099.tif 000008
【図７】
0003173099.tif 000009
【図８】
0003173099.tif 000010
【図９】
0003173099.tif 000011
【図１０】
0003173099.tif 000012
【図１１】
0003173099.tif 000013
【図１２】
0003173099.tif 000014